(57)【要約】【目的】本発明は、コンクリートパネルの膨張・収縮に対応することが可能であり、建物の耐久性・耐震性を強化させることの可能な外壁材及び外壁用アンカーを提供することを目的とするものである。【構成】本発明は、アンカー本体と前記アンカー本体の内部に取り付けるアルミダイキャストＴ型フック、クッション材及びテフロン（登録商標）シートと前記アンカー本体の背面鍔に取り付けるＯリングとスタッドボルトカバーとからなり、前記アンカー本体とアルミダイキャストＴ型フックの各部の間に間隙を設けアルミダイキャストＴ型フックのみが外壁材に固定され、その外部のアンカー本体はアルミダイキャストＴ型フックを基点として移動することができるようにしたことを特徴とする外壁用アンカーの構成及び前記アンカー本体がアルミダイキャストＴ型フックを基点として移動することができることを特徴とする外壁用アンカーを取り付けたことを特徴とする外壁材の構成とした。【選択図】  図８
2004308160.tif 000002
【特許請求の範囲】
【請求項１】
アンカー本体と前記アンカー本体の内部に取り付けるアルミダイキャストＴ型フック、クッション材及びテフロン（登録商標）シートと前記アンカー本体の背面鍔に取り付けるＯリングとスタッドボルトカバーとからなり、前記アンカー本体とアルミダイキャストＴ型フックの各部の間に間隙を設け、アルミダイキャストＴ型フックのみが外壁材に固定され、その外部のアンカー本体はアルミダイキャストＴ型フックを基点として移動することができるようにしたことを特徴とする外壁用アンカー。
【請求項２】
アンカー本体がアルミダイキャストＴ型フックを基点として移動することができることを特徴とする請求項１記載の外壁用アンカーを取り付けたことを特徴とする外壁材。
【発明の詳細な説明】
【０００１】
【発明の属する技術分野】
本発明は、カーテンウォール等の外壁材及び外壁に用いる外壁用アンカーの改良に関する発明である。
【０００２】
【従来の技術】
従来の外壁材としては、コンクリートパネルをアンカーを用いて取り付ける方法やコンクリートの外壁基材の外面に石材やタイル等を貼り付ける方法等が多く用いられている。
【０００３】
また、既存の方法として、特開平０７−３３１７７９号の公開特許公報記載の「外壁材」の発明等がある。前記「外壁材」は、外壁基材と、外壁基材の屋外側に配置される外面材と、外面材の裏面に設けられた突出部と、外壁基材の屋外側に設けられ、前記突出部よりも大きい径の開口部を有する取付部材と、取付部材の開口部に挿通された前記突出部に設けられる抜止部材とを備えたことを特徴とする発明である。
【０００４】
【発明が解決しようとする課題】
しかしながら、従来のコンクリートパネル等をアンカーを用いて取り付ける方法では、コンクリートパネル等が気温や湿度の変化により膨張・収縮するおそれがあり、建物の美観を損ねるとともに、コンクリートパネル等の膨張・収縮によりアンカー部から歪みが生じたり、亀裂が入るなどして、建物の耐久性を低下させるとの問題がある。
【０００５】
また、外壁基材の外面に石材やタイル等を貼り付ける方法の場合も地震やコンクリートの外壁基材が膨張・収縮することにより、外面に貼り付けた石材や対す等が剥がれ落ちることも考えられ、耐久性や耐震性の面で問題が生じる。
【０００６】
そこで、本発明はコンクリートパネルの膨張・収縮に対応することが可能であり、建物の耐久性・耐震性を強化させることの可能な外壁材及び外壁用アンカーを提供することを目的とするものである。
【０００７】
【課題を解決するための手段】
本発明は、上記の課題を解決するために、アンカー本体と前記アンカー本体の内部に取り付けるアルミダイキャストＴ型フック、クッション材及びテフロン（登録商標）シートと前記アンカー本体の背面鍔に取り付けるＯリングとスタッドボルトカバーとからなり、前記アンカー本体とアルミダイキャストＴ型フックの各部の間に間隙を設けアルミダイキャストＴ型フックのみが外壁材に固定され、その外部のアンカー本体はアルミダイキャストＴ型フックを基点として移動することができるようにしたことを特徴とする外壁用アンカーの構成及び前記アンカー本体がアルミダイキャストＴ型フックを基点として移動することができることを特徴とする外壁用アンカーを取り付けたことを特徴とする外壁材の構成とした。
【０００８】
【実施例】
以下に、添付図面に基づいて、本発明である外壁材及び外壁用アンカーを詳細に説明する。図１から図７は本発明である外壁用アンカーを示した図、図８から図１０は本発明である外壁用アンカーの使用例を示した図、図１１及び図１２は本発明である外壁用アンカーを外壁材に用いた使用状態を示す図である。
【０００９】
図１は本発明である外壁用アンカーの斜視図、図２は本発明である外壁用アンカーの構成部材を示す分解斜視図である。図１及び図２に示すように、本発明である外壁用アンカー１は、アンカー本体２とアンカー本体２の内部に取り付けるアルミダイキャストＴ型フック３、クッション材５、テフロン（登録商標）シート６と、アンカー本体２の背面鍔２ｇに取り付けるＯリング４と、スタッドボルトカバー７とから構成されている。
【００１０】
本発明である外壁用アンカー１の各構成部材を取り付ける順番としては、先ずアンカー本体２の背面鍔２ｇにＯリング４を嵌合させる。次に、アンカー本体２内部にクッション材５とテフロン（登録商標）シート６を取り付け、アンカー本体２内部に取り付けたクッション材５の内周面に嵌め込むようにしてアルミダイキャストＴ型フック３を取り付ける。
【００１１】
また、スタッドボルトカバー７は、外壁用アンカー１を外壁材の取り付けに用いる時に、スタッドボルトを嵌合させた後のカバーとして取り付ける。従って、図３に示した外壁用アンカー１の正面図は、スタッドボルトカバー７を外した状態で示した。
【００１２】
図３は本発明である外壁用アンカーの正面図、図４は本発明である外壁用アンカーの左側面図、図５は本発明である外壁用アンカーの背面図である。
【００１３】
図３から図５に示すように、本発明である外壁用アンカー１を構成するアンカー本体２は、円筒状の筒部２ｅと筒部２ｅの一端に連設されている正面鍔２ａと筒部の他端に連設されている背面鍔２ｇからなる。正面鍔２ａ及び背面鍔２ｇは、共に筒部２ｅに対して直角に外方に円盤状に連設されている。
【００１４】
図３に示すようにアンカー本体２の一端に連設されている正面鍔２ａは、円形状でその中心には筒部２ｅの内周面２ｃと同径の加工孔２ｂが内周面２ｃと面一になるように穿設されている。
【００１５】
前記加工孔２ｂ内には、内周面２ｃに添うようにクッション材５が嵌合され、クッション材５の内周面に嵌め込むようにしてアルミダイキャストＴ型フック３が取り付けられている。
【００１６】
アンカー本体２の加工孔２ｂ内に取り付けられたアルミダイキャストＴ型フック３は、図３に示すように、筒体部３ｃと筒体部３ｃの一端に連設されている鍔部３ａとからなり、鍔部３ａの径は、クッション材５の内周面とほぼ同径で、その中心には、ボルト孔３ｂが筒体部３ｃの平坦面３ｄまで貫通して穿設されている。
【００１７】
図４に示すように、本発明である外壁用アンカー１のアンカー本体２を構成する正面鍔２ａ及び背面鍔２ｇの径は、筒部２ｅの外周面２ｆの径よりも大きいため、側面の形状が正面鍔２ａ及び背面鍔２ｇの上下の端が筒部２ｅよりも大きく突出した略Ｈ状の形状となっている。
【００１８】
図５に示すように、アンカー本体２の背面鍔２ｇは正面鍔２ａと同形同大の円形状で、その中心には筒部２ｅの内周面２ｃの約半分の径の中心孔２ｄが穿設されている。また、背面鍔２ｇには、中心孔２ｄよりも外周に近い部分に円形の溝２ｈが設けられている。前記溝２ｈには、Ｏリング４が嵌合されている。
【００１９】
アンカー本体２の加工孔２ｂ内に取り付けられたアルミダイキャストＴ型フック３の筒体部３ｃは、内部に鍔部３ａから貫通したボルト孔３ｂが穿設され、その径はアンカー本体２の背面鍔２ｇに設けられた中心孔２ｄの径よりも小さくなっている。そのため、アルミダイキャストＴ型フック３の筒体部３ｃの平坦面３ｄは、アンカー本体２の背面鍔２ｇの中心孔２ｄから突出する形になる。
【００２０】
図６は本発明である外壁用アンカーの構成部材であるアンカー本体の縦断面図である。図６に示すように、本外壁用アンカー１の構成部材であるアンカー本体２は、正面鍔２ａに筒部２ｅの内周面２ｃと面一となるように加工孔２ｂが穿設され、背面鍔２ｇには筒部２ｅの内周面２ｃよりも小さい径の中心孔２ｄが穿設されている。背面鍔２ｇには、外周に近い部分に溝２ｈが設けられている。
【００２１】
アンカー本体２の正面鍔２ａと背面鍔２ｇは同形同大でその径は、筒部２ｅの外周面２ｆの径よりも大きくなっているため、縦断面形状は正面鍔２ａ及び背面鍔２ｇの上下の端が筒部２ｅよりも大きく、筒部２ｅの外周面より外方に筒部２ｅから直角に突出している。
【００２２】
図７は、本発明である外壁用アンカーの縦断面図である。外壁用アンカー１のアンカー本体２の背面鍔２ｇの表面に設けられた縦断面形状が凹状の溝２ｈにはＯリング４が嵌合されている。
【００２３】
アンカー本体２の加工孔２ｂの内部にはクッション材５が嵌合され、その内部に背面鍔２ｇに面してテフロン（登録商標）シート６が嵌合されている。前記テフロン（登録商標）シート６は、滑り材として用いられている。
【００２４】
クッション材５の内部には、断面形状が略Ｔ字型で円盤状の鍔部３ａと筒体部３ｃからなり、筒体部３ｃの内部を貫通するボルト孔３ｂが穿設されたアルミダイキャストＴ型フック３が取り付けられている。
【００２５】
アルミダイキャストＴ型フック３の筒体部３ｃは、アンカー本体２の背面鍔２ｇに穿設された中心孔２ｄの径よりも小さい径であるため、先端部である平坦面３ｄが背面鍔２ｇから背面方向に突出する形で取り付けられている。
【００２６】
図７に示すように、アンカー本体２の平面鍔２ａに穿設した中心孔２ｄの内周面と、アルミダイキャストＴ型フック３の筒体部３ｃの外周面は、密着することなく間隙１２が存在する。
【００２７】
また、アンカー本体２の筒部２ｅの内周面と、アルミダイキャストＴ型フック３の鍔部３ａの外周面も密着することなくクッション材５を介して間隙１２ａが存在する。
【００２８】
尚、符号７はスタッドボルトカバーを示すものであり、前記スタッドボルトカバー７は、アルミダイキャストＴ型フック３のボルト孔３ｂにスタッドボルトを挿通し、締め付けした後にボルトを保護するために取り付けるものである。
【００２９】
図８は、本発明である外壁用アンカーを外壁材に取り付けた使用状態を示す拡大縦断面図である。図８に示すように、外壁用アンカー１は、外壁材９に溶接されているスタッドボルト８をアンカー本体２の背面鍔２ｇ方向からアンカー本体２の加工孔２ｂ内に取り付けたアルミダイキャストＴ型フック３のボルト孔３ｂに挿通させ、ナット８ａを締め付けることで外壁材９に固定する。
【００３０】
スタッドボルト８を挿通、締め付けし外壁用アンカー１を外壁材９に固定した後に、スタッドボルト８を囲む形でスタッドボルトカバー７を取り付ける。図８に示すように、スタッドボルトカバー７は、枠体７ａの内部に凹部７ｂが設けられている。
【００３１】
前記凹部７ｂにスタッドボルト８に締め付けたナット８ａを嵌め込むようにして、アンカー本体２に取り付ける。この時、スタッドボルト８に締め付けたナット８ａの外周面とスタッドボルトカバー７内の凹部７ｂの内周面は密着することなく、間隙１２ｂがある。
【００３２】
アンカー本体２の平面鍔２ｇの中心孔２ｄとアルミダイキャストＴ型フック３の筒体部３ｃ間の間隙１２、アンカー本体２の筒部２ｅの内周面２ｃとアルミダイキャストＴ型フック３の鍔部３ａ間の間隙１２ａ及びスタットボルト８に締め付けしたナット８ａとスタッドボルトカバーの凹部７ｂ間の間隙１２ｂの作用について、図９及び図１０に示す使用例により説明する。
【００３３】
図９は本発明である外壁用アンカーの使用例を示す正面図、図１０は図９に示した本発明である外壁用アンカーの使用例の縦断面図である。図９及び図１０に示すように、本発明である外壁用アンカー１は、コンクリート等からなる外壁材９が気温・湿度等により膨張・伸縮した場合にアンカー部分に掛かる負荷に対し、外壁用アンカー１自体が対応することが可能な構造である。
【００３４】
即ち、本発明である外壁用アンカー１は、外壁材９に溶接されたスタッドボルト８を挿通したアルミダイキャストＴ型フック３はそのままで、その外部のアンカー本体２がアルミダイキャストＴ型フック３を基点に間隙１２、１２ａ、１２ｂを介して移動することが出来るものである。
【００３５】
図１０に示した矢印Ａ方向に負荷が掛かった場合、スタッドボルト８を挿通したアルミダイキャストＴ型フック３は外壁材９に固定されたままで、その外部のアンカー本体２が、アルミダイキャストＴ型フック３の筒体部３ｃの周囲、鍔部３ａの周囲、スタッドボルト８に締め付けしたナット８ａの周囲にそれぞれ間隙１２、１２ａ、１２ｂが存在するために、矢印Ａ方向に移動することが出来る。
【００３６】
この時、テフロン（登録商標）シート６が滑り材の作用を及ぼし、アンカー本体２は移動しやすくなる。さらに、アンカー本体２の背面鍔２ｇに嵌合したＯリング４も車輪のような作用を及ぼし、アンカー本体２が矢印Ａ方向に移動しやすくする。
【００３７】
アルミダイキャストＴ型フック３の鍔部３ａの周囲に嵌合されているクッション材５は柔らかい軟性の素材からなるので、アンカー本体２の移動を害することなく、且つアルミダイキャストＴ型フック３の鍔部３ａの外周が直接アンカー本体２の筒部２ｅの内周面２ｃに直接触れることが無いために、アンカー本体２の内部に傷が付くことを防ぐことが出来る。
【００３８】
図１１は、本発明である外壁材及び外壁用アンカーを用いた使用例を示す図である。図１１に示す建築物１０は、本発明である外壁材９、９、９・・・・を外壁に用いた建築物である。
【００３９】
図１２は、本発明である外壁用アンカーを外壁材に取り付けた使用状態を示す図である。図１２に示すように、本発明である外壁用アンカー１は、外壁材９に溶接されたスタッドボルト８により外壁材９に取り付け、スタッドボルトの周囲にスタッドボルトカバー７を取り付けた後に、外壁用アンカー１を覆うようにして、枠体９ｂ内にコンクリート１１ａを流し込む。
【００４０】
外壁材９の枠体９ｂ内に流し込まれたコンクリート１１ｂが固まり、外壁材９が枠体９ｂと一体となり、表面９ａを持つ外壁材９が完成する。このようにして外壁材９に取り付けられた外壁用アンカー１は、外壁材９にしっかりと固定されている。
【００４１】
そのため、コンクリート１１ｂが気温、湿度等により膨張、伸縮して外壁用アンカー１に負荷が掛かっても、コンクリート１１ｂ内でアンカー本体２が移動するため、コンクリート１１ｂに歪みや亀裂を生じることなく、耐久性の高い外壁材９とすることが出来る。
【００４２】
【発明の効果】
本発明である外壁材及び外壁用アンカーは、以上に説明したような構成であるから、以下の効果が得られる。
【００４３】
第１に、本発明である外壁用アンカーは、アンカー本体とアルミダイキャストＴ型フックの各部との間に間隙を設けること、アンカー本体内部にテフロン（登録商標）シートを取り付けること、アンカー本体背面鍔にＯリングを嵌合させることにより、アンカー本体の内部に取り付けられたアルミダイキャストＴ型フックを基点としてアンカー本体が移動することが可能である。
【００４４】
第２に、アンカー本体が移動可能な構造の外壁用アンカーを外壁材に用いることにより、気温、湿度の変化によるコンクリートの膨張、収縮にも対応できるものである。
【００４５】
第３に、コンクリートの膨張、収縮等に対応することが可能な外壁用アンカーを用いた外壁材により、建築物の耐久性、耐震性等を高めることが出来る。
【図面の簡単な説明】
【図１】本発明である外壁用アンカーの斜視図である。
【図２】本発明である外壁用アンカーの構成部材を示す分解図である。
【図３】本発明である外壁用アンカーの正面図である。
【図４】本発明である外壁用アンカーの左側面図である。
【図５】本発明である外壁用アンカーの背面図である。
【図６】本発明である外壁用アンカーの構成部材であるアンカー本体の縦断面図である。
【図７】本発明である外壁用アンカーの縦断面図である。
【図８】本発明である外壁用アンカーを外壁材に取り付けた使用状態を示す拡大縦断面図である。
【図９】本発明である外壁用アンカーの使用例を示す正面図である。
【図１０】本発明である外壁用アンカーの使用例を示す縦断面図である。
【図１１】本発明である外壁材及び外壁用アンカーを用いた使用例を示す図である。
【図１２】本発明である外壁用アンカーを外壁材に取り付けた使用状態を示す縦断面図である。
【符号の説明】
１        外壁用アンカー
２        アンカー本体
２ａ      正面鍔
２ｂ      加工孔
２ｃ      内周面
２ｄ      中心孔
２ｅ      筒部
２ｆ      外周面
２ｇ      背面鍔
２ｈ      溝
３        アルミダイキャストＴ型フック
３ａ      鍔部
３ｂ      ボルト孔
３ｃ      筒体部
３ｄ      平坦面
４        Ｏリング
５        クッション材
６        テフロン（登録商標）シート
７        スタッドボルトカバー
７ａ      枠体
７ｂ      凹部
８        スタッドボルト
８ａ      ナット
８ｂ      ボルト部
９        外壁材
９ａ      表面
９ｂ      枠体
１０        建築物
１１        コンクリート容器
１１ａ、１１ｂ  コンクリート
１２        間隙
１２ａ      間隙
１２ｂ      間隙
【図１】
2004308160.tif 000003
【図２】
2004308160.tif 000004
【図３】
2004308160.tif 000005
【図４】
2004308160.tif 000006
【図５】
2004308160.tif 000007
【図６】
2004308160.tif 000008
【図７】
2004308160.tif 000009
【図８】
2004308160.tif 000010
【図９】
2004308160.tif 000011
【図１０】
2004308160.tif 000012
【図１１】
2004308160.tif 000013
【図１２】
2004308160.tif 000014